(57)【要約】      （修正有）【課題】集積したゴミ袋にネットを被せるのではなく、ネットの形状を底のないバスケットにして、ゴミ袋をバスケットの入り口よりスベリ込ませる方法で集積させる、又、バスケットの入り口や出し口からゴミ袋がはみ出したり、鳥獣の執拗な攻撃でゴミ袋がバスケットの中から引きずり出される失態を完璧に無くす。更に、ゴミ袋や覆いのネットが歩道を占領して通行の障害を来す事がないようにゴミ袋を効率良く集積し、更にゴミ袋をゴミ集積場に持参する地域の人には使いやすく、ゴミを回収する業に携わる人には、楽に回収作業が出来るゴミ飛散防止用具を提供する。【解決手段】長方形に裁断したネットの左右側辺部を繋ぎ合せ、上辺部と下辺部にはゴム紐２を通してしぼめ込むことにより、提灯に似た底のないバスケット７を形成した、入り口４には口金となる２本の棒６を施し設け棒６の中ほどには、止め金となるクリップを設けた。【選択図】図６
0003104085.tif 000002
【実用新案登録請求の範囲】
【請求項１】
長方形に裁断したネット（１）の左右側辺部（３）を繋ぎ合わせ、上辺部と下辺部に設けたゴム紐（２）をしぼめ込む事により提灯の形状をした底のないバスケット（７）を形成し、入り口（４）の部分に口金となる２本の棒（６）を設けた事を特徴とする鳥獣よけバスケット、
【請求項２】
口金となる２本の棒（６）に止め金となるクリップ（５）を設けた請求項１記載の鳥獣よけバスケットケット。
【考案の詳細な説明】
【考案の詳細な説明】
【技術分野】
【０００１】  本考案は家庭から排出されるゴミが集積場において風で飛散したり、鳥獣に食い散らかされるのを防止するネットに関するものである。
【背景技術】
【０００２】  家庭から排出される生ゴミは定められた収集日に出しますが、これを鳥獣に食い散らかされて後始末に大変な思いをする事があります、その様な被害を防ぐために従来では、ゴミ集積ボックスを設置しましたが、決められた集積日以外にもゴミがボックスに入れられるために常にボックスの周りが不衛生となりました、又、ゴミ集積ボックスはボックスであるがゆえ、ゴミ袋の出し入れが大変困難で回収する業者の方も苦労していた、最近ではゴミの分別が義務付けられゴミの出し方も複雑になっており、ゴミ集積ボックスを撤去するように指導する市町村が増えています。【０００３】  一方、集積したゴミ袋にネットを被せる方法では、その都度ごとにネットを被せたり剥したりしなければなりませんでした、又、ネットの掛け損じからゴミ袋がはみ出して鳥獣に破られ、せっかくのネットが用を果たさない事がありました、さらに、ゴミ集積に要する面積がゴミの量に比例して広くなり歩行や自転車の走行に支障を来す事もありました。
【考案の開示】
【考案が解決しようとする課題】
【０００４】
【０００５】  考案が解決しようとする課題を整理すると次の４項目にまとめることができる。
▲１▼  ゴミ袋を集積するその都度ごとにネットの裾をまくり上げたり、被せたりしないでもゴミ袋をネット内に集積する事ができるようにしたい。【０００６】▲２▼  従来のゴミ袋にネットを被せる方法ではネットを掛け損じる事が多く、ネットの裾からゴミ袋がはみ出す事がありましたのでそのような失態をなくした。【０００７】▲３▼  鳥獣よけバスケットの中に集積されたゴミ袋を、回収する業者が簡単に取り出す事ができるようにしたい。【０００８】▲４▼  知恵と力で執拗に攻撃する鳥獣から、バスケットの中に集積されたゴミ袋を破られる事がないようにしたい。
【課題を解決するための手段】
【０００９】  本考案の鳥獣よけバスケット（７）は上記の課題を解決する為に，図１で示す長方形に裁断したネット（１）の上辺部と下辺部にゴム紐（２）を通し、次にネットの左右側辺部（３）を繋ぎ合せた、又、バスケット（７）の入り口（４）には、図３で示す２本の棒（６）を施し設け、棒（６）の中ほどにはクリップ（５）を設けて、バスケット（７）の入り口（４）が自在に開閉出来るようにした、
【考案の効果】
【００１０】  本考案は上述の通り構成されているので次に記載する効果を奏する。【００１１】▲１▼  ゴミ集積場のスペースが節約できるので交通の妨げを抑える事ができる。【００１２】▲２▼  利用者はバスケット（７）の口金となる２本の棒（６）を左右に開いて持ち上げるだけで簡単に、ゴミ袋（１０）をバスケット（７）の中にスベリ込ませる事ができるので、その都度ごとにネットを剥がしたり、ネットを覆う等の煩わしさから解放されます。【００１３】▲３▼  バスケット（７）の入り口（４）は口金となる２本の棒（６）とクリップ（５）により開閉する事が出来るので、入り口から鳥獣の攻撃を受けることがない、【００１４】▲４▼  ゴミ袋（１０）を回収する業者が、バスケット（７）の入り口（４）に設けた２本の棒（６）を軽く持ち上げる事により、簡単にゴミ袋（１０）をバスケット（７）の中から取り出すことが出来る。【００１５】▲５▼  バスケット（７）に集積されたゴミ袋（１０）が下部に設けられたゴム紐（２）によりしぼめ込まれたバスケット（７）の裾を内側より押さえ付けるので、ゴミ袋（１０）の量が増えるほどバスケット（７）の裾は捲り上げる事が困難になり、鳥獣の知恵と力による執拗な攻撃でゴミ袋（１０）が引き出されて破られる事を回避出来ます。
【考案を実施するための最良の形態】
【実施例１】  本考案の鳥獣よけバスケット（７）の使用法は、ゴミ回収日に合わせて集積場に置きます、利用者は２本の棒（６）を両手で握り左右に開き、その中心にゴミ袋（１０）を置いて棒を両手で軽く持ち上げます、ゴミ袋（１０）は棒（６）の間をくぐり抜けてスルリとバスケット（７）の中に入ります、この様にしてゴミ袋は次々に入れられます、利用者はゴミ袋をバスケット（７）の中に入れた後，２本の棒（６）をクリップ（５）で閉じてその場を離れます、やがてバスケット（７）は図５で示すようにゴミ袋（１０）で一杯になって膨らみますがゴミ集積に要する面積は殆ど変りません、又、鳥獣よけバスケット（７）には底がありませんので，ゴミ袋（１０）がバスケット（７）の外にはみ出す心配がありますが、下部に設けたゴム紐（２）によりしぼめ込まれたバスケット（７）の裾をゴミ袋（１０）が内側より押さえ付けるのではみ出す心配はありません、鳥獣の知恵と力で生ゴミを狙い打ちされても十分に攻撃に耐る事ができるのです。
やがて回収業者によりゴミ袋（１０）がバスケット（７）の内部より取り出されますが、回収の業にたずさわる人がバスケット（７）の口金となる２本の棒（６）を両手で握りバスケット（７）を丸ごと強く持ち上げます、バスケット（７）には底がありませんし，ゴム紐（２）は伸縮しますのでゴミ袋（１０）を取り出すことはいとも簡単にできるのです。
【実施例２】  支柱（９）がある場所においては鳥獣よけバスケット（７）を図６で示すように常設して使うことが可能となります、図６に示すように支柱（９）に設けたフック（８）にバスケット（７）の口金となる２本の棒（６）の片方をひっ掛けて吊り下げますと、使用者は立ったままの姿勢で，片方の棒を手で握り手前に引くことによりバスケットの入り口（４）を開いてゴミ袋（１０）をほうり込むことができます、この場合も実施例１に示すと同様の効果が得られますので鳥獣の攻撃に十分耐える事ができます、使用後のバスケット（７）の片付けの手間が省けますので更に便利です。
【産業上の利用可能性】  近年家庭内ゴミの分別が義務付けされるようになって、ペットボトルやプラスチック類が別られて集積場に出されますが、風が吹きますと被せられたネットが飛ばされたり、重量の軽いこれらのゴミ袋が車道に転げ出し、車に潰されて散らばり苦い思いをすることがあります、本考案の鳥獣のバスケット（７）はこの様な風の被害と鳥獣による攻撃からゴミ袋を守ることができます。
【図面の簡単な説明】
【図１】  ネット（１）の展開図
【図２】  バスケット（７）の斜視図
【図３】  バスケット（７）の平面図
【図４】  バスケット（７）の平面図
【図５】  ゴミ袋（１０）がバスケットの中で満杯になった状態をしめす状態図
【図６】  ゴミ集積場の支柱にバスケット（７）を設置した状態をしめす状態図
【符号の説明】
１    ネット
２    ゴム紐
３    側辺部
４    入り口
５    クリップ
６    棒
７    バスケット
８    フック
９    支柱
１０    ゴミ袋
【図１】
0003104085.tif 000003
【図２】
0003104085.tif 000004
【図３】
0003104085.tif 000005
【図４】
0003104085.tif 000006
【図５】
0003104085.tif 000007
【図６】
0003104085.tif 000008